(57)【特許請求の範囲】
【請求項１】
動画像ファイルと静止画像ファイルとが混在してなる複数の画像ファイルの表示を制御する画像処理装置であって、
上記複数の画像ファイルの再生モードとして一枚再生モードまたは連続再生モードを選択する再生モード選択部と、
上記複数の画像ファイルの表示を制御する表示制御部とを備え、
上記表示制御部は、
上記一枚再生モードで再生画像ファイルが上記動画像ファイルであるとき、最初の画像が静止して表示された状態から再生開始指示に基づいて表示制御を開始し、上記連続再生モードで再生画像ファイルが上記動画像ファイルであるとき、最初の画像から自動的に表示制御を開始し、
上記一枚再生モードで上記静止画像ファイルまたは上記動画像ファイルが再生されている状態で、あるいは上記連続再生モードで上記静止画像ファイルが再生されている状態で、ファイル戻しが指示されるとき、前の画像ファイルに戻って表示制御を行い、
上記連続再生モードで上記動画像ファイルが再生されている状態で、ファイル戻しが指示されるとき、該動画像ファイルの表示経過時間が所定時間以上のときは、該動画像ファイルの先頭に戻って表示制御を開始し、上記動画像ファイルの表示経過時間が上記所定時間に満たないときは、前の画像ファイルに戻って表示制御を行う
画像処理装置。
【請求項２】
表示パネル上に、上記画像ファイルによる画像に重ねて、グラフィカルユーザインタフェース画面を表示するグラフィック表示部と、
上記表示パネルに上記画像に重ねて上記連続表示モードの開始ボタンおよび停止ボタンを表示するか否かをユーザが設定するためのユーザ設定部をさらに備える
請求項１に記載の画像処理装置。
【請求項３】
上記表示制御部は、上記連続表示モードで、かつ変速表示モードにおいて、上記動画像ファイルの表示時間および上記静止画像ファイルの表示時間を、通常速表示モードの表示時間に対して変化させる
請求項１に記載の画像処理装置。
【請求項４】
上記画像ファイルによる画像を表示する表示パネルと、
上記表示パネルに、上記画像に重ねて、グラフィカルユーザインタフェース画面を表示するグラフィック表示部とをさらに備え、
上記グラフィック表示部は、上記連続再生モードにおいて、上記表示パネルに上記動画像ファイルによる画像が表示されるとき、該表示パネルに上記動画像ファイルの表示時間と表示経過時間の表示を含むグラフィカルユーザインタフェース画面を表示する
請求項１に記載の画像処理装置。
【請求項５】
上記画像ファイルによる画像を表示する表示パネルと、
上記表示パネルに、上記画像に重ねて、グラフィカルユーザインタフェース画面を表示するグラフィック表示部とをさらに備え、
上記グラフィック表示部は、上記連続再生モードにおいて、上記表示パネルに、連続表示の対象となる全画像ファイルの表示時間と表示経過時間の表示を含む上記グラフィカルユーザインタフェース画面を表示する
請求項１に記載の画像処理装置。
【請求項６】
動画像ファイルと静止画像ファイルとが混在してなる複数の画像ファイルの表示を制御する画像処理方法であって、
上記複数の画像ファイルの再生モードとして一枚再生モードまたは連続再生モードを選択する再生モード選択ステップと、
上記複数の画像ファイルの表示を制御する表示制御ステップを有し、
上記表示制御ステップでは、
上記一枚再生モードで再生画像ファイルが上記動画像ファイルであるとき、最初の画像が静止して表示された状態から再生開始指示に基づいて表示制御を開始し、上記連続再生モードで再生画像ファイルが上記動画像ファイルであるとき、最初の画像から自動的に表示制御を開始し、
上記一枚再生モードで上記静止画像ファイルまたは上記動画像ファイルが再生されている状態で、あるいは上記連続再生モードで上記静止画像ファイルが再生されている状態で、ファイル戻しが指示されるとき、前の画像ファイルに戻って表示制御を行い、
上記連続再生モードで上記動画像ファイルが再生されている状態で、ファイル戻しが指示されるとき、該動画像ファイルの表示経過時間が所定時間以上のときは、該動画像ファイルの先頭に戻って表示制御を開始し、上記動画像ファイルの表示経過時間が上記所定時間に満たないときは、前の画像ファイルに戻って表示制御を行う
画像処理方法。
【請求項７】
動画像ファイルと静止画像ファイルとが混在してなる複数の画像ファイルの表示を制御する画像処理方法をコンピュータに実行させるプログラムであって、
上記画像処理方法は、
上記複数の画像ファイルの再生モードとして一枚再生モードまたは連続再生モードを選択する再生モード選択ステップと、
上記複数の画像ファイルの表示を制御する表示制御ステップを有し、
上記表示制御ステップでは、
上記一枚再生モードで再生画像ファイルが上記動画像ファイルであるとき、最初の画像が静止して表示された状態から再生開始指示に基づいて表示制御を開始し、上記連続再生モードで再生画像ファイルが上記動画像ファイルであるとき、最初の画像から自動的に表示制御を開始し、
上記一枚再生モードで上記静止画像ファイルまたは上記動画像ファイルが再生されている状態で、あるいは上記連続再生モードで上記静止画像ファイルが再生されている状態で、ファイル戻しが指示されるとき、前の画像ファイルに戻って表示制御を行い、
上記連続再生モードで上記動画像ファイルが再生されている状態で、ファイル戻しが指示されるとき、該動画像ファイルの表示経過時間が所定時間以上のときは、該動画像ファイルの先頭に戻って表示制御を開始し、上記動画像ファイルの表示経過時間が上記所定時間に満たないときは、前の画像ファイルに戻って表示制御を行う
プログラム。
【請求項８】
記録媒体に記録されている、動画像ファイルと静止画像ファイルとが混在してなる複数の画像ファイルを読み出す画像ファイル読み出し部と、
上記画像ファイル読み出し部で読み出された画像ファイルに基づいて再生画像データを出力する画像データ出力部と、
上記複数の画像ファイルの再生モードとして一枚再生モードまたは連続再生モードを選択する再生モード選択部とを備え、
上記画像データ出力部は、
上記一枚再生モードで再生画像ファイルが上記動画像ファイルであるとき、再生開始指示に基づいて最初の画像データから出力を開始し、上記連続再生モードで再生画像ファイルが上記動画像ファイルであるとき、最初の画像データから自動的に出力を開始し、
上記一枚再生モードで上記静止画像ファイルまたは上記動画像ファイルが再生されている状態で、あるいは上記連続再生モードで上記静止画像ファイルが再生されている状態で、ファイル戻しが指示されるとき、前の画像ファイルに戻って画像データの出力を行い、
上記連続再生モードで上記動画像ファイルが再生されている状態で、ファイル戻しが指示されるとき、該動画像ファイルの再生経過時間が所定時間以上のときは、該動画像ファイルの先頭に戻って画像データの出力を開始し、上記動画像ファイルの再生経過時間が上記所定時間に満たないときは、前の画像ファイルに戻って画像データの出力を行う
画像再生装置。
【請求項９】
上記画像データ出力部は、上記連続再生モードで、かつ、変速再生モードにおいて、上記画像ファイル読み出し部で順次読み出された画像ファイルに対応した再生画像データの出力時間を、通常速再生モードに対して変化させる
請求項８に記載の画像再生装置。
【請求項１０】
上記画像データ出力部は、
上記連続再生モードで、かつ、上記変速再生モードにおいて、上記画像ファイル読み出し部で読み出された画像ファイルに対応した再生画像データの出力時間を通常速再生モードに対して変化させる際、
上記画像ファイル読み出し部で読み出された画像ファイルが動画像ファイルであるときは、上記再生画像データとして出力する動画像データの出力速度を変化させ、
上記画像ファイル読み出し部で読み出された画像ファイルが静止画像ファイルであるときは、上記再生画像データとして出力する静止画像データの出力時間を変化させる
請求項９に記載の画像再生装置。
【請求項１１】
上記画像データ出力部から出力される再生画像データに基づいて、再生画像を表示する表示パネルに、上記再生画像に重ねて、グラフィカルユーザインタフェース画面を表示するグラフィック表示部をさらに備え、
上記グラフィック表示部は、上記連続再生モードにおいて、上記画像データ出力部が上記再生画像データとして上記動画像データを出力しているとき、上記表示パネルに、動画像データの再生時間と再生経過時間の表示を含む上記グラフィカルユーザインタフェース画面を表示する
請求項８に記載の画像再生装置。
【請求項１２】
上記画像データ出力部から出力される再生画像データに基づいて、再生画像を表示する表示パネルに、上記再生画像に重ねて、グラフィカルユーザインタフェース画面を表示するグラフィック表示部をさらに備え、
上記グラフィック表示部は、上記連続再生モードにおいて、上記表示パネルに、上記記録媒体に記録されている連続再生の対象となる全画像ファイルの再生時間と再生経過時間の表示を含む上記グラフィカルユーザインタフェース画面を表示する
請求項８に記載の画像再生装置。
【請求項１３】
記録媒体に記録されている、動画像ファイルと静止画像ファイルとが混在してなる複数の画像ファイルを読み出す画像ファイル読み出しステップと、
上記読み出された画像ファイルに基づいて再生画像データを出力する再生画像データ出力ステップと、
上記複数の画像ファイルの再生モードとして一枚再生モードまたは連続再生モードを選択する再生モード選択ステップとを有し、
上記再生画像データ出力ステップでは、
上記一枚再生モードで再生画像ファイルが上記動画像ファイルであるとき、再生開始指示に基づいて最初の画像データから出力を開始し、上記連続再生モードで再生画像ファイルが上記動画像ファイルであるとき、最初の画像データから自動的に出力を開始し、
上記一枚再生モードで上記静止画像ファイルまたは上記動画像ファイルが再生されている状態で、あるいは上記連続再生モードで上記静止画像ファイルが再生されている状態で、ファイル戻しが指示されるとき、前の画像ファイルに戻って画像データの出力を行い、
上記連続再生モードで上記動画像ファイルが再生されている状態で、ファイル戻しが指示されるとき、該動画像ファイルの再生経過時間が所定時間以上のときは、該動画像ファイルの先頭に戻って画像データの出力を開始し、上記動画像ファイルの再生経過時間が上記所定時間に満たないときは、前の画像ファイルに戻って画像データの出力を行う
画像再生方法。
【請求項１４】
コンピュータに画像再生方法を実行させるプログラムであって、
上記画像再生方法は、
記録媒体に記録されている、動画像ファイルと静止画像ファイルとが混在してなる複数の画像ファイルを読み出す画像ファイル読み出しステップと、
上記読み出された画像ファイルに基づいて再生画像データを出力する再生画像データ出力ステップと、
上記複数の画像ファイルの再生モードとして一枚再生モードまたは連続再生モードを選択する再生モード選択ステップとを有し、
上記再生画像データ出力ステップでは、
上記一枚再生モードで再生画像ファイルが上記動画像ファイルであるとき、再生開始指示に基づいて最初の画像データから出力を開始し、上記連続再生モードで再生画像ファイルが上記動画像ファイルであるとき、最初の画像データから自動的に出力を開始し、
上記一枚再生モードで上記静止画像ファイルまたは上記動画像ファイルが再生されている状態で、あるいは上記連続再生モードで上記静止画像ファイルが再生されている状態で、ファイル戻しが指示されるとき、前の画像ファイルに戻って画像データの出力を行い、
上記連続再生モードで上記動画像ファイルが再生されている状態で、ファイル戻しが指示されるとき、該動画像ファイルの再生経過時間が所定時間以上のときは、該動画像ファイルの先頭に戻って画像データの出力を開始し、上記動画像ファイルの再生経過時間が上記所定時間に満たないときは、前の画像ファイルに戻って画像データの出力を行う
プログラム。
【発明の詳細な説明】
【技術分野】
【０００１】
この発明は、画像処理装置、画像処理方法、画像再生装置、画像再生方法およびプログラムに関する。
【背景技術】
【０００２】
近年、静止画の記録再生の他に、動画の記録再生を可能とするデジタルスチルカメラが知られている。この種のデジタルスチルカメラにおいては、メモリカード等の記録媒体に、静止画ファイルおよび動画ファイルが混在して記録されるが、各画像ファイルは断片的なものとして扱われ、ユーザはプレビューの際に連続的な撮像イメージが掴みにくかった。例えば、特許文献１には、静止画ファイルまたは動画ファイルを選択して単体で再生し得るデジタルカメラが記載されている。
【０００３】
この発明の概念は、
動画像ファイルと静止画像ファイルとが混在してなる複数の画像ファイルの表示を制御する画像処理装置であって、
上記複数の画像ファイルの再生モードとして一枚再生モードまたは連続再生モードを選択する再生モード選択部と、
上記複数の画像ファイルの表示を制御する表示制御部とを備え、
上記表示制御部は、
上記一枚再生モードで再生画像ファイルが上記動画像ファイルであるとき、最初の画像が静止して表示された状態から再生開始指示に基づいて表示制御を開始し、上記連続再生モードで再生画像ファイルが上記動画像ファイルであるとき、最初の画像から自動的に表示制御を開始し、
上記一枚再生モードで上記静止画像ファイルまたは上記動画像ファイルが再生されている状態で、あるいは上記連続再生モードで上記静止画像ファイルが再生されている状態で、ファイル戻しが指示されるとき、前の画像ファイルに戻って表示制御を行い、
上記連続再生モードで上記動画像ファイルが再生されている状態で、ファイル戻しが指示されるとき、該動画像ファイルの表示経過時間が所定時間以上のときは、該動画像ファイルの先頭に戻って表示制御を開始し、上記動画像ファイルの表示経過時間が上記所定時間に満たないときは、前の画像ファイルに戻って表示制御を行う
画像処理装置にある。
【発明の開示】
【発明が解決しようとする課題】
【０００４】
従来のデジタルスチルカメラにおいては、上述したように、記録媒体に記録されている画像ファイル（静止画ファイル、動画ファイル）を断片的にしか再生できず、プレビューの際に連続的な記録イメージが掴みにくいという問題点があった。
【０００５】
この発明の目的は、ユーザが連続的な記録イメージを掴みやすくすることにある。
【課題を解決するための手段】
【０００６】
この発明の概念は、
動画像データと静止画像データとが混在してなる複数の画像データの表示を制御する画像処理装置であって、
上記複数の画像データを所定の順番で連続して表示する連続表示モードにおいて、表示すべき画像データが、上記動画像データであるか上記静止画像データであるかを判定する動画静止画判定部と、
上記表示すべき画像データが上記動画像データである際に、該動画像データの全ての表示が終了することに応じて次の画像データの表示制御を開始し、上記表示すべき画像データが上記静止画像データである際に、該静止画像データの一定時間の表示が終了することに応じて次の画像データの表示制御を開始する表示制御部と
を備える画像処理装置にある。
【０００７】
この発明は、動画像ファイルと静止画像ファイルとが混在してなる複数の画像ファイルの表示を制御する画像処理装置である。連続表示モードにおいては、複数の画像ファイルが所定の順番で連続して表示される。複数の画像ファイルは、例えば、記録媒体に記録されており、連続表示モードにおいては、この記録媒体から複数の画像ファイルが連続的に読み出される。読み出し順は、例えば、画像データを含む画像ファイルのファイル名に基づいて決定される。
【０００８】
記録媒体に記録されている画像ファイルは、例えば、撮像部（イメージャ）で得られた撮像画像データに基づいて生成された記録画像データが書き込まれたものである。画像ファイルとしては、動画像ファイルと静止画像ファイルとがあり、圧縮符号化データ、あるいは非圧縮データを含む。表示すべき画像ファイルが動画像ファイルであるか静止画像ファイルであるかの判定は、例えば、当該画像ファイルの拡張子またはその画像ファイルが格納されている記録媒体内のフォルダの名前に基づいて判定できる。表示すべき画像ファイルが圧縮符号化データを含む場合には、データ伸長部により復号化が行われる。
【０００９】
ユーザは、ユーザ操作部により、連続表示モードの開始および停止を操作できる。例えば、ユーザは、表示パネルに画像に重ねて表示される連続表示モードの開始ボタンおよび停止ボタンを用い、表示パネルの表示画面上で、連続表示モードの開始および停止の操作が可能とされる。この場合、ユーザは連続表示モードの開始および停止の操作を表示パネルの表示画面上で容易に行うことができ、使い勝手が向上する。
【００１０】
なお、表示パネルに画像に重ねて連続表示モードの開始ボタンおよび停止ボタンを表示するか否かを設定するユーザ設定部を備える、ようにされてもよい。これにより、連続表示モードの開始ボタンが不要である場合には、表示画面上からその表示を削除でき、ＧＵＩ画面に含まれる操作ボタンを実際にユーザが使用するものだけに整理できる。
【００１１】
例えば、ユーザは、表示パネルに表示された設定メニューを用い、表示パネルの表示画面上で、連続表示モードの開始ボタンおよび停止ボタンを表示するか否かの設定が可能とされる。この場合、ユーザは連続表示モードの開始ボタンおよび停止ボタンの表示設定を表示画面上で容易に行うことができ、使い勝手が向上する。
【００１２】
この発明においては、画像ファイルの再生モードとして、一枚再生モードまたは連続再生モードが選択される。一枚再生モードで再生画像ファイルが動画像ファイルであるとき、最初の画像が静止して表示された状態から再生開始指示に基づいて表示制御が開始され、連続再生モードで再生画像ファイルが動画像ファイルであるとき、最初の画像から自動的に表示制御が開始される。また、一枚再生モードで静止画像ファイルまたは動画像ファイルが再生されている状態で、あるいは連続再生モードで静止画像ファイルが再生されている状態で、ファイル戻しが指示されるとき、前の画像ファイルに戻って表示制御が行われ、連続再生モードで動画像ファイルが再生されている状態で、ファイル戻しが指示されるとき、動画像ファイルの表示経過時間が所定時間以上のときは、この動画像ファイルの先頭に戻って表示制御が開始され、動画像ファイルの表示経過時間が所定時間に満たないときは、前の画像ファイルに戻って表示制御が行われる。
【００１３】
例えば、連続表示モードにおいて、動画像ファイルの表示制御がなされており、表示パネルに動画像ファイルによる画像が表示されるとき、表示パネルに動画像ファイルの表示時間と表示経過時間の表示を含むグラフィカルユーザインタフェース画面が表示されてもよい。これにより、ユーザは、動画像ファイルの表示制御にあること、およびその動画像ファイルの表示時間と表示経過時間を視覚的に容易に把握可能となる。
【００１４】
また、例えば、連続表示モードにおいて、表示パネルに、連続表示の対象の全画像ファイルの表示時間と表示経過時間の表示を含むグラフィカルユーザインタフェース画面が表示されてもよい。これにより、ユーザは、連続表示対象の全画像ファイルの表示時間と表示経過時間を視覚的に容易に把握可能となる。
【００１５】
この発明においては、例えば、表示制御部は、連続表示モードで、かつ変速表示モードにおいて、動画像ファイルの表示時間および静止画像ファイルの表示時間を、通常速表示モードの表示時間に対して変化させる、ようにされてもよい。なお、変速表示は、例えば、早送り表示および巻き戻し表示であるが、その他にも、スロー表示、コマ送り表示等が含まれる。
【００１６】
上述したように、連続再生モードでユーザにより変速表示モードの開始が操作されることで、連続した複数の画像ファイルに渡って早送り、巻き戻し等の変速表示が連続的に行われていくため、ユーザは画像ファイルの検索あるいは確認を効果的に行うことが可能となる。
【００１７】
ユーザは、ユーザ操作部により、変速表示モードの開始および停止を操作できる。例えば、ユーザは、表示パネルに表示された変速表示モードの開始ボタンおよび停止ボタンを用いて、表示パネルの表示画面上で、変速表示モードの開始および停止を操作することが可能とされる。この場合、ユーザは変速表示モードの開始および停止を表示パネルの表示画面上で容易に行うことができ、使い勝手が向上する。
【００２１】
また、この発明の概念は、
記録媒体に記録されている、動画像ファイルと静止画像ファイルとが混在してなる複数の画像ファイルを読み出す画像ファイル読み出し部と、
上記画像ファイル読み出し部で読み出された画像ファイルに基づいて再生画像データを出力する画像データ出力部と、
上記複数の画像ファイルの再生モードとして一枚再生モードまたは連続再生モードを選択する再生モード選択部とを備え、
上記画像データ出力部は、
上記一枚再生モードで再生画像ファイルが上記動画像ファイルであるとき、再生開始指示に基づいて最初の画像データから出力を開始し、上記連続再生モードで再生画像ファイルが上記動画像ファイルであるとき、最初の画像データから自動的に出力を開始し、
上記一枚再生モードで上記静止画像ファイルまたは上記動画像ファイルが再生されている状態で、あるいは上記連続再生モードで上記静止画像ファイルが再生されている状態で、ファイル戻しが指示されるとき、前の画像ファイルに戻って画像データの出力を行い、
上記連続再生モードで上記動画像ファイルが再生されている状態で、ファイル戻しが指示されるとき、該動画像ファイルの再生経過時間が所定時間以上のときは、該動画像ファイルの先頭に戻って画像データの出力を開始し、上記動画像ファイルの再生経過時間が上記所定時間に満たないときは、前の画像ファイルに戻って画像データの出力を行う
画像再生装置にある。
【００２２】
この発明において、記録媒体には、画像ファイルが記録されている。この画像ファイルは、例えば、撮像部（イメージャ）で得られた撮像画像データに基づいて生成された記録画像データが書き込まれたものである。画像ファイルとしては、動画像ファイルと静止画像ファイルとがあり、圧縮符号化データ、あるいは非圧縮データを含む。
【００２３】
画像ファイル読み出し部により、記録媒体に記録されている画像ファイルが読み出される。そして、画像データ出力部により、画像ファイル読み出し部で読み出された画像ファイルに基づいて、再生画像データが出力される。連続再生モードにおいて、画像ファイル読み出し部により、記録媒体に記録されている連続再生対象の画像ファイルが連続的に読み出される。読み出し順は、例えば、画像ファイルのファイル名に基づいて、決定される。ユーザは、ユーザ操作部により、連続再生モードの開始および停止を操作できる。
【００２４】
この発明においては、複数の画像ファイルの再生モードとして一枚再生モードまたは連続再生モードが選択される。一枚再生モードで再生画像ファイルが動画像ファイルであるとき、再生開始指示に基づいて最初の画像データから出力が開始され、連続再生モードで再生画像ファイルが動画像ファイルであるとき、最初の画像データから自動的に出力が開始される。また、一枚再生モードで静止画像ファイルまたは動画像ファイルが再生されている状態で、あるいは連続再生モードで静止画像ファイルが再生されている状態で、ファイル戻しが指示されるとき、前の画像ファイルに戻って画像データの出力が行われる。また、連続再生モードで動画像ファイルが再生されている状態で、ファイル戻しが指示されるとき、この動画像ファイルの再生経過時間が所定時間以上のときは、この動画像ファイルの先頭に戻って画像データの出力が開始され、この動画像ファイルの再生経過時間が所定時間に満たないときは、前の画像ファイルに戻って画像データの出力が行われる。
【００２５】
例えば、連続再生モードにおいて、画像データ出力部が再生画像データとして動画像データを出力しているとき、画像表示パネルに、動画像データの再生時間と再生経過時間を含むグラフィカルユーザインタフェース画面が表示されてもよい。これにより、ユーザは、動画像データの再生状態にあること、および動画像データの再生時間と再生経過時間を視覚的に容易に把握可能となる。
【００２６】
また、例えば、連続再生モードにおいて、画像表示パネルに、記録媒体に記録されている連続再生対象の全画像ファイルの再生時間と再生経過時間の表示を含むグラフィカルユーザインタフェース画面が表示されてもよい。これにより、ユーザは、連続再生対象の全画像ファイルの再生時間と再生経過時間を視覚的に容易に把握可能となる。
【００２７】
この発明においては、例えば、画像データ出力部は、連続再生モードで、かつ、変速再生モードにおいて、画像ファイル読み出し部で順次読み出された画像ファイルに対応した再生画像データの出力時間を、通常速再生モードに対して変化させる、ようにされてもよい。ユーザは、ユーザ操作部により、変速再生モードの開始および停止を操作できる。
【００２８】
例えば、画像データ出力部では、連続再生モードで、かつ、変速再生モードにおいて、画像ファイル読み出し部で読み出された画像ファイルが動画像ファイルであるときは、再生画像データとして出力する動画像データの出力速度が変化するようにされ、画像ファイル読み出し部で読み出された画像ファイルが静止画像データであるときは、再生画像データとして出力する静止画像データの出力時間が変化するようにされる。なお、変速再生は、例えば、早送り再生および巻き戻し再生であるが、その他にも、スロー再生、コマ送り再生等が含まれる。
【００２９】
連続再生モードにおいて、ユーザにより変速再生の開始が操作されることで、連続した複数の画像ファイルに渡って早送り、巻き戻し等の変速再生が連続的に行われていくため、ユーザは、記録媒体に記録されている画像データの検索あるいは確認を効果的に行うことが可能となる。
【発明の効果】
【００３２】
この発明によれば、連続再生モードで再生画像ファイルが動画像ファイルであるときと、その他のときとで、ファイル戻しが指示されたきの動作が異なるようにされるものであり、それぞれのモードに合ったファイル戻しが行われる。
【発明を実施するための最良の形態】
【００３３】
以下、図面を参照しながら、この発明の実施の形態について説明する。図１は、実施の形態としてのデジタルスチルカメラ１００の構成例を示している。このデジタルスチルカメラ１００は、静止画の記録再生の他に、動画の記録再生も可能とされている。
【００３４】
このデジタルスチルカメラ１００は、制御部１０１と、ユーザ操作部１０２とを有している。また、このデジタルスチルカメラ１００は、イメージャ１１１と、撮像処理部１１２と、メモリ部１１３と、圧縮／伸長部１１４と、記録／再生部１１５とを有している。
【００３５】
また、このデジタルスチルカメラ１００は、ビデオエンコーダ１２１と、ビデオ出力端子１２２と、重畳部１２３と、ＬＣＤドライバ１２４と、ＬＣＤパネル１２５と、ＯＳＤ（On-Screen Display）部１２６と、タッチパネル１２７と、座標検出部１２８とを有している。
【００３６】
制御部１０１は、デジタルスチルカメラ１００の各部を制御する。なお、図１においては、制御部１０１から各部への制御ラインについては、図面の簡単化のため、一部を省略している。制御部１０１は、ＣＰＵ１０３、フラッシュＲＯＭ１０４およびＳＤＲＡＭ１０５を備えている。
【００３７】
フラッシュＲＯＭ１０４は、ＣＰＵ１０３の制御プログラム等を記憶している。ＳＤＲＡＭ１０５は、ＣＰＵ１０３の制御処理に必要なデータの一時記憶等に用いられる。ＣＰＵ１０３は、フラッシュＲＯＭ１０４から読み出したプログラムやデータをＳＤＲＡＭ１０５上に展開してプログラムを起動し、デジタルスチルカメラ１００の各部を制御する。
【００３８】
ユーザ操作部１０２は、ユーザインタフェースを構成し、制御部１０１に接続されている。このユーザ操作部１０２は、デジタルスチルカメラ１００の図示しない筐体面に配置されたキー、ボタン、ダイアル、さらにはリモコンの送受信機等で構成される。ユーザは、ユーザ操作部１０２を用いて、デジタルスチルカメラ１００の記録、再生を操作でき、また、各種の設定を行うことができる。
【００３９】
イメージャ（撮像部）１１１は、例えば、Ｃ−ＭＯＳ(ComplementaryMetal Oxide Semiconductor）撮像素子、あるいはＣＣＤ(Charge CoupledDevice)撮像素子により構成される。撮像処理部１１２は、イメージャ１１１で得られる撮像信号を処理して、被写体の撮像画像に対応した画像データ（撮像画像データ）を生成する。撮像処理部１１２では、例えば、イメージャ１１１から出力される撮像信号（アナログ信号）に対し、サンプルホールドおよび利得制御、アナログ信号からデジタル信号への変換、さらにホワイトバランス調整、ガンマ補正等の処理が行われる。
【００４０】
メモリ部１１３は、例えば、ＳＤＲＡＭ等の半導体メモリにより構成される。このメモリ部１１３は、記録時および再生時において画像データを一時的に記憶するバッファとして機能する。すなわち、記録時には、撮像処理部１１２で生成された撮像画像データを一時的に記憶し、また、この撮像画像データから圧縮／伸長部１１４で生成された圧縮符号化データを一時的に記憶する。また、再生時には、記録／再生部１１５で読み出された画像ファイルに含まれる圧縮符号化データを一時的に記憶し、また、この圧縮符号化データから圧縮／伸長部１１４で生成された再生画像データを一時的に記憶する。
【００４１】
圧縮／伸長部１１４は、静止画ファイルの記録時には、撮像処理部１１２で得られた静止画像データをＪＰＥＧ（Joint Photographic Experts Group）方式で圧縮符号化し、記録画像データとして静止画の圧縮符号化データ（ＪＰＥＧ信号）を生成する。また、圧縮／伸長部は、動画ファイルの記録時には、撮像処理部１１２で得られた動画像データをＭＰＥＧ（Moving Picture Experts Group）方式で圧縮符号化し、記録画像データとして動画の圧縮符号化データ（ＭＰＥＧ信号）を生成する。
【００４２】
また、圧縮／伸長部１１４は、静止画ファイルの再生時には、記録／再生部１１５で得られた静止画の圧縮符号化データ（ＪＰＥＧ信号）に対して復号化処理を行って、静止画の再生画像データを生成する。また、圧縮／伸長部１１４は、動画ファイルの再生時には、記録／再生部１１５で得られた動画の圧縮符号化データ（ＭＰＥＧ信号）に対して復号化処理を行って、動画の再生画像データを生成する。
【００４３】
記録／再生部１１５は、静止画ファイルの記録時には、圧縮／伸長部１１４で生成された静止画の圧縮符号化データ（ＪＰＥＧ信号）を含む静止画ファイルを生成し、この静止画ファイルをメモリカード１１６に書き込む。また、記録／再生部１１５は、動画ファイルの記録時には、圧縮／伸長部１１４で生成された動画の圧縮符号化データ（ＭＰＥＧ信号）を含む動画ファイルを生成し、この動画ファイルをメモリカード１１６に書き込む。
【００４４】
また、記録／再生部１１５は、静止画ファイルの再生時には、メモリカード１１６から静止画ファイルを読み出し、この静止画ファイルに含まれる静止画の圧縮符号化データ（ＪＰＥＧ信号）を得る。また、記録／再生部１１５は、動画ファイルの再生時には、メモリカード１１６から動画ファイルを読み出し、この動画ファイルに含まれる動画の圧縮符号化データ（ＭＰＥＧ信号）を得る。
【００４５】
ここで、記録／再生部１１５は、ファイル書き込み部（画像データ書き込み部）およびファイル読み出し部（画像データ読み出し部）を構成している。また、メモリ部１１３および圧縮／伸長部１１４は、画像データ生成部および画像データ出力部を構成している。
【００４６】
ビデオエンコーダ１２１は、記録時には撮像画像データに基づいて、再生時には再生画像データに基づいて、ハイビジョン出力用信号を生成し、ビデオ信号出力端子１２２に出力する。また、ビデオエンコーダ１２１は、記録時には撮像画像データに基づいて、再生時には再生画像データに基づいて、パネル出力用信号を生成し、重畳部１２３に供給する。
【００４７】
重畳部１２３は、ビデオエンコーダ１２１で生成されたパネル出力用信号（撮像画像信号または再生画像信号）に、ＯＳＤ部１２６からのＧＵＩ画面用の表示信号を重畳して、ＬＣＤドライバ１２４に供給する。ＬＣＤドライバ１２４は、重畳部１２３から供給される画像データに基づいて、ＬＣＤパネル１２５を駆動し、このＬＣＤパネル１２５に撮像画像または再生画像を表示する。上述したように、重畳部１２３でパネル出力用信号にＧＵＩ画面用の表示信号が重畳されることで、ＬＣＤパネル１２５に表示される撮像画像あるいは再生画像は、ＧＵＩ画面が重畳されたものとなる。ここで、ＯＳＤ部１２６は、グラフィック表示部を構成している。
【００４８】
タッチパネル１２７は、ＬＣＤパネル１２５の画面上の位置を指定する位置指定部を構成しており、ＬＣＤパネル１２５の画面上に配置されている。ユーザは、ＬＣＤパネル１２５上に配置されたタッチパネル１２７を用いて、撮像時においては撮像動作、記録動作等、再生時においては再生動作等を操作できるようになる。このタッチパネル１２７は、座標検出部１２８を介して制御部１０１に接続されている。ユーザは、タッチパネル１２７を、指で直接触れるか、あるいはペンで触れるかして、ＬＣＤパネル１２５の画面上の位置を指定できる。
【００４９】
図１に示すデジタルスチルカメラ１００の動作を説明する。
【００５０】
最初に、撮像時、記録時の動作を説明する。イメージャ１１１で得られた撮像信号は撮像処理部１１２に供給されて処理され、この撮像処理部１１２からは被写体の撮像画像に対応した撮像画像データが得られる。この撮像画像データは、メモリ部１１３に供給されて、一時的に記憶される。ビデオエンコーダ１２１では、メモリ部１１３に記憶された撮像画像データに基づいて、ハイビジョン出力用信号が生成されて、ビデオ信号出力端子１２２に供給される。
【００５１】
また、ビデオエンコーダ１２１では、メモリ部１１３に記憶された撮像画像データに基づいて、パネル出力用信号が生成される。このパネル出力用信号は、重畳部１２３を通じて、ＬＣＤドライバ１２４に供給される。これにより、ＬＣＤパネル１２５には撮像画像が表示され、ユーザは撮像画像の確認が可能となる。
【００５２】
ユーザがユーザ操作部１０２のシャッターボタンを操作した場合、メモリ部１１３に記憶された撮像画像データのうち、シャッターボタンの操作タイミングの撮像画像データが静止画像データとして取り出される。圧縮／伸長部１１４では、この静止画像データに対してＪＰＥＧ方式でデータ圧縮処理が施され、静止画の圧縮符号化データ（ＪＰＥＧ信号）が生成される。
【００５３】
この静止画の圧縮符号化データは、メモリ部１１３に一時的に記憶された後、適宜なタイミングで、記録／再生部１１５に供給される。記録／再生部１１５では、静止画の圧縮符号化データ（ＪＰＥＧ信号）を含む静止画ファイルが生成され、この静止画ファイルがメモリカード１１６に書き込まれる。
【００５４】
一方、ユーザが、ユーザ操作部１０２の記録ボタンを操作し、その後に停止ボタンを操作した場合、メモリ部１１３に記憶された撮像画像データのうち、記録ボタンが操作されてから停止ボタンが操作されるまでの撮像画像データが動画像データとして取り出される。圧縮／伸長部１１４では、この動画像データに対してＭＰＥＧ方式でデータ圧縮処理が施され、動画の圧縮符号化データ（ＭＰＥＧ信号）が生成される。
【００５５】
この動画の圧縮符号化データは、メモリ部１１３に一時的に記憶された後、適宜なタイミングで、記録／再生部１１５に供給される。記録／再生部１１５では、動画の圧縮符号化データ（ＭＰＥＧ信号）を含む動画ファイルが生成され、この動画ファイルがメモリカード１１６に書き込まれる。
【００５６】
メモリカード１１６に記録される静止画ファイルおよび動画ファイルは、例えば、ディレクトリ構造、ファイルなどの取り扱いを定めたＤＣＦ（Design rule for Camera File system）規格に基づいて管理される。
【００５７】
図２は、メモリカード１１６のフォルダ構成の一例を示している。「ＲＯＯＴディレクトリ」の直下に「ＤＣＩＭディレクトリ」が作成される。そして、この「ＤＣＩＭディレクトリ」の下位ディレクトリに「ＤＣＦディレクトリ」と称される「３桁のディレクトリ番号＋５文字の自由文字」の命名規則によるディレクトリが形成され、静止画ファイル（拡張ファイルは「JPG」）が格納される。
【００５８】
図２のフォルダ構成では、「ＤＣＩＭディレクトリ」の下位ディレクトリに、「101MSDCF」および「102MSDCF」の「ＤＣＦディレクトリ」が作成されている。そして、「101MSDCF」のディレクトリには、「DSC00001.JPG」および「DSC00002.JPG」の静止画ファイルが格納されている。また、「102MSDCF」のディレクトリには、「DSC00005.JPG」および「DSC00007.JPG」の静止画ファイルが格納されている。
【００５９】
また、「ＲＯＯＴディレクトリ」の直下に、「ＭＰ_ＲＯＯＴディレクトリ」が作成される。そして、この「ＭＰ_ＲＯＯＴディレクトリ」の下位ディレクトリに「ＤＣＦディレクトリ」と称される「３桁のディレクトリ番号＋５文字の自由文字」の命名規則によるディレクトリが形成され、動画ファイル（拡張ファイルは「MP4」）が格納される。
【００６０】
図２のフォルダ構成では、「ＭＰ_ＲＯＯＴディレクトリ」の下位ディレクトリに、「101ANV01」および「102ANV02」の「ＤＣＦディレクトリ」が作成されている。そして、「101ANV01」のディレクトリには、「MAH00003.MP4」の動画ファイルが格納されている。また、「102ANV02」のディレクトリには、「MAH00004.MP4」および「MAH00006.MP4」の動画ファイルが格納されている。
【００６１】
なお、静止画ファイルおよび動画ファイルのファイル名の末尾５桁は、撮像順に、連番とされている。後述するように、この実施の形態において、連続再生モードにおける再生順は、このファイル名に基づいて決定される。
【００６２】
次に、再生時の動作について説明する。ユーザがユーザ操作部１０２の例えば再生ボタンを操作することで、デジタルスチルカメラ１００は再生モードとなる。この実施の形態において、再生モードには、一枚再生（表示）モードと、連続再生（表示）モードがあるが、最初は、一枚再生モードとなる。一枚再生モードは、ユーザがファイル送りボタンまたはファイル戻しボタンを操作して選択した画像ファイル（画像データ）のみが再生されるモードである。一枚再生モードにおいて、最初は、最後に撮像されてメモリカード１１６に記録された画像ファイルが再生される。
【００６３】
記録／再生部１１５では、メモリカード１１６から画像ファイルが読み出される。この画像ファイルに含まれる圧縮符号化データは、メモリ部１１３に供給されて一時的に記憶される。この圧縮符号化データは、圧縮／伸長部１１４で復号化されて、再生画像データが得られる。この再生画像データは、メモリ部１１３に供給されて一時的に記憶される。
【００６４】
ここで、再生画像ファイルが静止画ファイルであるとき、記録／再生部１１５からメモリ部１１３に供給される圧縮符号化データはＪＰＥＧ信号であり、圧縮／伸長部１１４で復号化されてメモリ部１１３に供給される再生画像データは静止画像データとなる。また、再生画像ファイルが動画ファイルであるとき、記録／再生部１１５からメモリ部１１３に供給される圧縮符号化データはＭＰＥＧ信号であり、圧縮／伸長部１１４で復号化されてメモリ部１１３に供給される再生画像データは動画像データとなる。
【００６５】
このようにメモリ部１１３に一時的に記憶された再生画像データに基づいて、ビデオエンコーダ１２１では、ハイビジョン出力用信号が生成される。このハイビジョン出力用信号はビデオ信号出力端子１２２に出力される。また、メモリ部１１３に一時的に記憶された再生画像データに基づいて、ビデオエンコーダ１２１では、パネル出力用信号が生成される。このパネル出力用信号は、重畳部１２３を通じて、ＬＣＤドライバ１２４に供給される。これにより、ＬＣＤパネル１２５には再生画像が表示され、ユーザはその表示により再生画像の確認が可能となる。
【００６６】
この状態で、制御部１０１の制御のもと、ＯＳＤ部１２６では、再生動作等をユーザが操作するために使用されるＧＵＩ画面用の表示信号が発生される。この表示信号は、重畳部１２３に供給されて、ビデオエンコーダ１２１から供給されるパネル出力用信号に重畳される。
【００６７】
これにより、ＬＣＤパネル１２５に表示される再生画像には、再生動作等をユーザが操作するために使用されるＧＵＩ画面が重ねて表示される。そのため、ユーザは、ＬＣＤパネル１２５上に配置されたタッチパネル１２７を用いて、ファイル送り（データ送り）、ファイル戻し（データ戻し）、動画ファイルの再生の場合には早送り、巻き戻し等を操作できる。なお、ユーザは、ユーザ操作部１０２を構成するキー等を用いても同様の操作を行うことができる。
【００６８】
図３（ａ）は、静止画ファイルの再生時におけるＬＣＤパネル１２５の表示例を示している。この場合、再生画像として静止画像ＳＰが表示される。また、この場合、この静止画像ＳＰに重ねて、ファイル送り（データ送り）ボタンＢＴffおよびファイル戻し（データ戻し）ボタンＢＴfrを含むＧＵＩ画面が表示される。
【００６９】
図３（ａ）の状態で、ユーザは、ファイル送りボタンＢＴffに対応したタッチパネル１２７上を押圧操作して、再生画像ファイルを次の画像ファイルとするファイル送りの操作を行うことができる。また、ユーザは、ファイル戻しボタンＢＴfrに対応したタッチパネル１２７上を押圧操作して、再生画像ファイルを前の画像ファイルとするファイル戻しの操作を行うことができる。
【００７０】
また、図３（ｂ）は、動画ファイルの選択時におけるＬＣＤパネル１２５の表示例を示している。この場合、動画像ＭＰの最初の画像が静止した状態で表示される。また、この場合、この動画像ＭＰ（最初の画像）に重ねて、再生開始ボタンＢＴps、ファイル送りボタンＢＴffおよびファイル戻しボタンＢＴfrを含むＧＵＩ画面が表示される。さらに、この場合、この動画像ＭＰ（最初の画像）に重ねて、動画像データの再生時間（表示時間）と再生経過時間（表示経過時間）を示すプログレスバーＢＲａが表示される。
【００７１】
図３（ｂ）の状態で、ユーザは、ファイル送りボタンＢＴffに対応したタッチパネル１２７上を押圧操作することで、再生画像ファイルを次の画像ファイルとするファイル送りの操作を行うことができる。また、ユーザは、ファイル戻しボタンＢＴfrに対応したタッチパネル１２７上を押圧操作して、再生画像ファイルを前の画像ファイルとするファイル戻しの操作を行うことができる。
【００７２】
また、図３（ｂ）の状態で、ユーザは、再生開始ボタンＢＴpsに対応したタッチパネル１２７上を押圧操作することで、動画像データの再生開始の操作を行うことができる。動画像の再生が開始されると、ＬＣＤパネル１２５には時間経過と共に動いていく本来の動画像ＭＰが表示される。プログレスバーＢＲａ上のカーソルは再生経過時間の変化に伴って移動していく。ここで、プログレスバーＢＲａの本体は動画像データの再生時間を示し、カーソル位置は再生経過時間を示す。
【００７３】
図３（ｃ）は、動画ファイルの再生時におけるＬＣＤパネル１２５の表示例を示している。この場合、図３（ｂ）における再生開始ボタンＢＴpsの代わりに再生停止ボタンＢＴppが表示され、また、図３（ｂ）におけるファイル送りボタンＢＴffおよびファイル戻しボタンＢＴfrの代わりに早送りボタンＢＴfwおよび巻き戻しボタンＢＴrwが表示される。図３（ｃ）の状態で、ユーザは、再生停止ボタンＢＴppに対応したタッチパネル１２７上を押圧操作することで、動画ファイル（動画像データ）の再生停止の操作を行うことができる。
【００７４】
また、上述した動画ファイルの再生時に、ユーザは、早送りボタンＢＴfwに対応したタッチパネル１２７上を押圧操作することで早送り再生状態とする操作を行うことができる。また、上述した動画ファイルの再生時に、ユーザは、巻き戻しボタンＢＴrwに対応したタッチパネル１２７上を押圧操作することで巻き戻し再生状態とする操作を行うことができる。
【００７５】
なお、図示しないが、早送り再生状態および巻き戻し再生状態では、図３（ｃ）における再生停止ボタンＢＴppの代わりに再生開始ボタンＢＴpsが表示される。そのため、ユーザは、再生開始ボタンＢＴpsに対応したタッチパネル１２７上を押圧操作することで、通常の再生状態に戻す操作を行うことができる。
【００７６】
次に、連続再生モード（連続表示モード）について説明する。デジタルスチルカメラ１００では、一枚再生モードから連続再生モードへの移行の可否を、予め設定メニューを用いて設定可能とされている。図４は、デジタルスチルカメラ１００のＬＣＤパネル１２５に表示される設定メニューの一例を示している。
【００７７】
ユーザは、例えば、タッチパネル１２７の「可能」、「不可能」の表示箇所を押圧操作することで、一枚再生モードから連続再生モードへの移行の可否を設定できる。図４の表示例では、カーソルＣＡが「可能」の表示位置に対応した位置にあり、「可能」に設定されていることがわかる。
【００７８】
なお、ユーザは、ＬＣＤパネル１２５に表示された設定メニューに基づいて、ユーザ操作部１０２により設定を行うこともできる。以下に説明するその他のタッチパネル１２７の押圧操作に関しても、ユーザ操作部１０２により同様の操作を行うことができる。
【００７９】
上述の図３（ａ），（ｂ）に示す一枚再生モードの再生時におけるＬＣＤパネル１２５の表示例は、一枚再生モードから連続再生モードへの移行が不可能に設定されている場合の表示例を示している。これに対して、図５（ａ），（ｂ）は、一枚再生モードから連続再生モードへの移行が可能に設定されている場合の、一枚再生モードの再生時におけるＬＣＤパネル１２５の表示例を示している。
【００８０】
図５（ａ）は静止画ファイル（静止画像データ）の再生時における表示例である。この場合、再生画像として静止画像ＳＰが表示される。また、この場合、この静止画像ＳＰに重ねて、ファイル送りボタンＢＴffおよびファイル戻しボタンＢＴfrの他に、さらに連続再生開始ボタン（連続再生モードの開始ボタン）ＢＴcpsを含むＧＵＩ画面が表示される。この状態で、ユーザは、連続再生開始ボタンＢＴcpsに対応したタッチパネル１２７上を押圧操作して、一枚再生モードから連続再生モードへの移行操作を行うことができる。ここで、ＬＣＤパネル１２５およびタッチパネル１２７は、ユーザ操作部を構成している。
【００８１】
図５（ｂ）は動画ファイル（動画像データ）の選択時における表示例である。この場合、動画像ＭＰの最初の画像が静止した状態で表示される。また、この場合、この動画像ＭＰ（最初の画像）に重ねて、ファイル送りボタンＢＴffおよびファイル戻しボタンＢＴfrの他に、さらに連続再生開始ボタン（連続再生モードの開始ボタン）ＢＴcpsを含むＧＵＩ画面が表示される。この状態で、ユーザは、連続再生開始ボタンＢＴcpsに対応したタッチパネル１２７上を押圧操作して、一枚再生モードから連続再生モードへの移行操作を行うことができる。
【００８２】
連続再生モードにおいて、最初に、一枚再生モードにおいて再生されていた現在の画像ファイルが再生され、その後に、現在の画像ファイルに続く画像ファイルが連続的に再生されていく。上述したようにメモリカード１１６に記録されている静止画ファイルおよび動画ファイルは、ファイル名の末尾５桁が、撮像順に、連番とされている。連続再生モードにおける画像ファイルの再生順は、例えば、ファイル名の末尾５桁が示す番号順とされる。
【００８３】
例えば、メモリカード１１６のフォルダ構成が図２に示す状態にあり、現在の画像ファイルが「101MSDCF」の「DSC00001.JPG」であるとき、以下の順番で、画像ファイルの再生が行われる。
【００８４】
（１）「101MSDCF」の「DSC00001.JPG」
（２）「101MSDCF」の「DSC00002.JPG」
（３）「101ANV01」の「MAH00003.MP4」
（４）「102ANV02」の「MAH00004.MP4」
（５）「102MSDCF」の「DSC00005.JPG」
（６）「102ANV02」の「MAH00006.MP4」
（７）「102MSDCF」の「DSC00007.JPG」
【００８５】
この連続再生モード時には、記録／再生部１１５により、メモリカード１１６から、画像ファイルが連続的に読み出される。圧縮／伸長部１１４では、記録／再生部１１５で順次読み出された画像ファイルに含まれている圧縮符号化データに対して復号化の処理が施される。圧縮／伸長部１１４で生成された各画像ファイルの再生画像データは、メモリ部１１３に供給されて、一時的に記憶される。
【００８６】
ビデオエンコーダ１２１からは、画像ファイルが静止画ファイルであるときは、ハイビジョン出力用信号およびパネル出力用信号として、静止画像データが一定時間、この実施の形態においては３秒間だけ出力される。また、ビデオエンコーダ１２１からは、画像ファイルが動画ファイルであるときは、ハイビジョン出力用信号およびパネル出力用信号として、動画像データが出力される。
【００８７】
図６（ａ）は、連続再生モード時にあって、静止画像の通常速再生中におけるＬＣＤパネル１２５の表示例を示している。この場合、再生画像として静止画像ＳＰが表示される。また、この場合、この静止画像ＳＰに重ねて、連続再生停止ボタン（連続再生モードの停止ボタン）ＢＴcpp、ファイル送りボタンＢＴff、ファイル戻しボタンＢＴfr、早送りボタンＢＴfwおよび巻き戻しボタンＢＴrwを含むＧＵＩ画面が表示される。
【００８８】
図６（ａ）の状態で、ユーザは、ファイル送りボタンＢＴffに対応したタッチパネル１２７上を押圧操作して、再生画像ファイルを次の画像ファイルとするファイル送りの操作を行うことができる。また、図６（ａ）の状態で、ユーザは、ファイル戻しボタンＢＴfrに対応したタッチパネル１２７上を押圧操作して、再生画像ファイルを前の画像ファイルとするファイル戻しの操作を行うことができる。
【００８９】
ここで、メモリカード１１６に記録されている最後の画像ファイルの再生時に、ファイル送り操作が行われた場合、次の画像ファイルは最初の画像ファイルとなる。また、メモリカード１１６に記録されている最初の画像ファイルの再生時に、ファイル戻し操作が行われた場合、次の画像ファイルは最後の画像ファイルとなる。ここで、最後の画像ファイルおよび最初の画像ファイルとは、それぞれ、上述したようにファイル名の末尾５桁が示す番号順で最後および最初の画像ファイルを意味する。
【００９０】
また、図６（ａ）の状態で、ユーザは、早送りボタンＢＴfwに対応したタッチパネル１２７上を押圧操作することで、複数の画像ファイルに渡った早送り再生（早送りモード）の開始操作を行うことができる。また、図６（ａ）の状態で、ユーザは、巻き戻しボタンＢＴrwに対応したタッチパネル１２７上を押圧操作することで、複数の画像ファイルに渡った巻き戻し再生（巻き戻しモード）の開始操作を行うことができる。
【００９１】
この早送り再生および巻き戻し再生では、通常速再生に対して、再生速度が速くなる。例えば、静止画ファイルの再生に関しては、ビデオエンコーダ１２１からの静止画像データ（ハイビジョン出力用信号およびパネル出力用信号）の出力時間は、３秒間より短い時間、例えば、０．５秒間とされる。また、例えば、動画ファイルの再生に関しては、ビデオエンコーダ１２１からの動画像データ（ハイビジョン出力用信号およびパネル出力用信号）の出力は所定倍速、例えば６倍速とされる。
【００９２】
また、図６（ｂ）の状態で、ユーザは、連続再生停止ボタンＢＴcppに対応したタッチパネル１２７上を押圧操作することで、連続再生モードから一枚再生モードへの移行操作を行うことができる。
【００９３】
図６（ｂ）は、連続再生モード時にあって、動画像の通常速再生中におけるＬＣＤパネル１２５の表示例を示している。この場合、再生画像として動画像ＭＰが表示される。また、この場合、この動画像ＭＰに重ねて、連続再生停止ボタンＢＴcpp、ファイル送りボタンＢＴff、ファイル戻しボタンＢＴfr、早送りボタンＢＴfw、巻き戻しボタンＢＴrwおよびプログレスバーＢＲａを含むＧＵＩ画面が表示される。
【００９４】
図６（ｂ）の状態で、ユーザは、ファイル送りボタンＢＴffに対応したタッチパネル１２７上を押圧操作して、再生画像ファイルを次の画像ファイルとするファイル送りの操作を行うことができる。また、図６（ｂ）の状態で、ユーザは、ファイル戻しボタンＢＴfrに対応したタッチパネル１２７上を押圧操作して、再生画像ファイルを前の画像ファイルとするファイル戻しの操作を行うことができる。
【００９５】
ここで、ユーザによりファイル戻し操作が行われたとき、デジタルスチルカメラ１００では、動画像の再生経過時間が所定時間以上、この実施の形態においては０．５秒以上であるか否かにより、以下のような動作が行われる。すなわち、動画像の再生経過時間が０．５秒以上のときは、前の画像ファイルに戻るのではなく、現在の動画ファイルの先頭に戻る。一方、動画像の再生経過時間が０．５秒に満たないときは、前の画像ファイルに戻る。
【００９６】
このように、ユーザによりファイル戻し操作が行われたときの振る舞いを、動画像の再生経過時間が０．５秒以上であるか否かによって変化させることで、ユーザは、ファイル戻しの操作を１回だけ行って動画ファイルの先頭に戻ること、あるいは、ファイル戻しの操作を２回続けて行って前の画像ファイルに戻ることのいずれかを、意識的に行うことができる。
【００９７】
また、図６（ｂ）の状態で、ユーザは、早送りボタンＢＴfwに対応したタッチパネル１２７上を押圧操作することで、早送り再生の操作を行うことができる。また、図６（ｂ）の状態で、ユーザは、巻き戻しボタンＢＴrwに対応したタッチパネル１２７上を押圧操作することで、巻き戻し再生の操作を行うことができる。
【００９８】
また、図６（ｂ）の状態で、ユーザは、連続再生停止ボタンＢＴcppに対応したタッチパネル１２７上を押圧操作することで、連続再生モードから一枚再生モードへの移行操作を行うことができる。
【００９９】
図７（ａ）は、連続再生モードで、かつ早送り再生中または巻き戻し再生中であって、静止画ファイルの再生時におけるＬＣＤパネル１２５の表示例を示している。この場合、再生画像として静止画像ＳＰが表示される。また、この場合、この静止画像ＳＰに重ねて、連続再生開始ボタンＢＴcps、ファイル送りボタンＢＴff、ファイル戻しボタンＢＴfr、早送りボタンＢＴfwおよび巻き戻しボタンＢＴrwを含むＧＵＩ画面が表示される。
【０１００】
図７(ａ)の状態で、ユーザは、連続再生開始ボタンＢＴcpsに対応したタッチパネル１２７上を押圧操作することで、早送り再生または巻き戻し再生を停止し、通常速再生の状態に戻す操作を行うことができる。
【０１０１】
図７（ｂ）は、連続再生モード時で、かつ早送り再生または巻き戻し再生中であって、動画ファイルの再生時におけるＬＣＤパネル１２５の表示例を示している。この場合、再生画像として動画像ＭＰが表示される。また、この場合、この動画像ＭＰに重ねて、連続再生開始ボタンＢＴcps、ファイル送りボタンＢＴff、ファイル戻しボタンＢＴfr、早送りボタンＢＴfw、巻き戻しボタンＢＴrwおよびプログレスバーＢＲａを含むＧＵＩ画面が表示される。
【０１０２】
図７（ｂ）の状態で、ユーザは、連続再生開始ボタンＢＴcpsに対応したタッチパネル１２７上を押圧操作することで、早送り再生または巻き戻し再生を停止し、通常速再生の状態に戻す操作を行うことができる。
【０１０３】
なお、連続再生モード時に、最後の画像ファイルまで再生されたとき（早送り再生、あるいは巻き戻し再生による再生終了も含む）、ＬＣＤパネル１２５の表示は以下のようになる。
【０１０４】
すなわち、最後の画像ファイルが静止画ファイルであるときは、図８（ａ）に示すような表示となる。この場合、再生画像として静止画像ＳＰが表示される。また、この場合、この静止画像ＳＰに重ねて、連続再生停止ボタンＢＴcpp、ファイル送りボタンＢＴff、ファイル戻しボタンＢＴfr、早送りボタンＢＴfwおよび巻き戻しボタンＢＴrwを含むＧＵＩ画面が表示される。
【０１０５】
また、最後の画像ファイルが動画ファイルであるときは、図８（ｂ）に示すような表示となる。この場合、再生画像として動画像ＭＰの最後の画像（巻き戻し再生による再生終了の場合には動画像ＭＰの最初の画像）が静止した状態で表示される。また、この場合、この動画像ＭＰに重ねて、連続再生停止ボタンＢＴcpp、ファイル送りボタンＢＴff、ファイル戻しボタンＢＴfr、早送りボタンＢＴfw，巻き戻しボタンＢＴrwおよびプログレスバーＢＲａを含むＧＵＩ画面が表示される。
【０１０６】
図８（ａ）、図８（ｂ）の状態で、ユーザは、連続再生停止ボタンＢＴcppに対応したタッチパネル１２７上を押圧操作することで、連続再生モードから一枚再生モードへの移行操作を行うことができる。また、図８（ａ）、図８（ｂ）の状態で、ユーザは、ファイル送りボタンＢＴff（巻き戻し再生による再生終了の場合にはファイル戻しボタンＢＴfr）に対応したタッチパネル１２７上を押圧操作することで、連続再生（早送り再生、巻き戻し再生も含む）の動作を再開させることができる。
【０１０７】
図９のフローチャートは、連続再生モード時における制御部１０１（ＣＰＵ１０３）の制御処理の手順を示している。
【０１０８】
制御部１０１は、ステップＳＴ１において、連続再生の処理を開始し、その後に、ステップＳＴ２の処理に移る。このステップＳＴ２において、制御部１０１は、再生対象の画像ファイルを読み出す。この場合、記録／再生部１１５によりメモリカード１１６から再生対象の画像ファイルが読み出され、この画像ファイルに含まれる圧縮符号化データ（ＪＰＥＧ信号またはＭＰＥＧ信号）がメモリ部１１３に一時的に記憶される。その後、圧縮／伸長部１１４により圧縮符号化データが復号化されて再生画像データ（静止画像データまたは動画像データ）が生成され、この再生画像データはメモリ部１１３に一時的に記憶される。
【０１０９】
ここで、最初に読み出される画像ファイルは、一枚再生モードから連続再生モードに移行した直後にあっては、移行前の一枚再生モードにおける再生対象の画像ファイルと同じものとされる。なお、この場合には、既に、再生対象の画像ファイルの読み出しが行われているので、その読み出しを省略できる。
【０１１０】
また、最初に読み出される画像ファイルは、連続再生が最後の画像ファイルまで行われて終了した状態から、ユーザによるファイル送り、あるいはファイル戻しの操作により、連続再生が再開される場合にあっては、メモリカード１１６に記録されている最初の画像ファイルあるいは最後の画像ファイルとされる。
【０１１１】
次に、制御部１０１は、ステップＳＴ３において、再生対象の画像ファイルが動画ファイルであるか否かを判断する。ここで、再生対象の画像ファイルが動画ファイルであるか否かは、その画像ファイルが格納されているディレクトリ名、またはその画像ファイルの拡張子によって判断できる（図２参照）。
【０１１２】
再生対象の画像ファイルが動画ファイルであるとき、制御部１０１は、動画像データの表示制御を開始する。すなわち、制御部１０１は、ステップＳＴ４において、早送り再生中あるいは巻き戻し再生中であるか否かを判断する。早送り再生中および巻き戻し再生中のいずれでもないとき、制御部１０１は、ステップＳＴ５において、動画像を通常速で再生する。この場合、ビデオエンコーダ１２１からは、通常速再生の動画像に対応したハイビジョン出力用信号およびパネル出力用信号が出力される。
【０１１３】
一方、早送り再生中あるいは巻き戻し再生中であるとき、制御部１０１は、ステップＳＴ６において、動画像の早送り再生あるいは巻き戻し再生をする。この場合、ビデオエンコーダ１２１からは、早送り再生あるいは巻き戻し再生の動画像に対応したハイビジョン出力用信号およびパネル出力用信号が出力される。
【０１１４】
また、ステップＳＴ３で再生対象の画像ファイルが静止画ファイルあるとき、制御部１０１は、静止画像データの表示制御を開始する。すなわち、制御部１０１は、ステップＳＴ７において、早送り再生中あるいは巻き戻し再生中であるか否かを判定する。早送り再生中および巻き戻し再生中のいずれでもないとき、制御部１０１は、ステップＳＴ８において、静止画像を３秒間だけ再生する。この場合、ビデオエンコーダ１２１からは、静止画像に対応したハイビジョン出力用信号およびパネル出力用信号が３秒間だけ出力される。
【０１１５】
一方、早送り再生中あるいは巻き戻し再生中であるとき、制御部１０１は、ステップＳＴ９において、静止画像を０．５秒間だけ再生する。この場合、ビデオエンコーダ１２１からは、静止画像に対応したハイビジョン出力用信号およびパネル出力用信号が０．５秒間だけ出力される。
【０１１６】
制御部１０１は、上述のステップＳＴ５、ステップＳＴ６、ステップＳＴ８、あるいはステップＳＴ９の処理の後、ステップＳＴ１０の処理に移る。このステップＳＴ１０において、制御部１０１は、現在の再生対象の画像ファイルが、連続再生すべき最後の画像ファイルであるか否かを判断する。
【０１１７】
ここで、連続再生すべき最後の画像ファイルとは、通常速再生および早送り再生にあっては、メモリカード１１６に記録されている連続再生対象の最後の画像ファイルであり、巻き戻し再生にあっては、メモリカード１１６に記録されている連続再生対象の最初の画像ファイルである。
【０１１８】
現在の再生対象の画像ファイルが最後の画像ファイルであるとき、制御部１０１は、ステップＳＴ１１において、連続再生の処理を終了する。一方、現在の再生対象の画像ファイルが最後の画像ファイルでないとき、制御部１０１は、ステップＳＴ２に戻り、次の画像ファイルの再生処理に移行する。
【０１１９】
制御部１０１（ＣＰＵ１０３）は、上述の図９のフローチャートに沿った処理を行うことから、動画静止画判断部および表示制御部を構成している。
【０１２０】
次に、通常速再生中（図９のフローチャートで、ステップＳＴ５の動画像再生中、ステップＳＴ８の静止画像再生中）に、ユーザが早送りボタンＢＴfwあるいは巻き戻しボタンＢＴrwを操作した場合における制御部１０１の制御処理を説明する。この場合、制御部１０１は、図１０のフローチャートに示す割り込み処理Ａを行う。
【０１２１】
制御部１０１は、ステップＳＴ１１において、割り込み処理Ａを開始し、その後に、ステップＳＴ１２の処理に移る。このステップＳＴ１２において、制御部１０１は、再生対象の画像ファイルが動画ファイルであるか否かを判断する。
【０１２２】
再生対象の画像ファイルが動画ファイルであるとき、制御部１０１は、ステップＳＴ１３において、残存の動画像を早送り再生あるいは巻き戻し再生をする。この場合、ビデオエンコーダ１２１からは、早送り再生あるいは巻き戻し再生の動画像に対応したハイビジョン出力用信号およびパネル出力用信号が出力される。
【０１２３】
一方、再生対象の画像ファイルが静止画ファイルであるとき、制御部１０１は、ステップＳＴ１４において、静止画像を０．５秒間だけ再生する。この場合、ビデオエンコーダ１２１からは、静止画像に対応したハイビジョン出力用信号およびパネル出力用信号が０．５秒間だけ出力される。
【０１２４】
制御部１０１は、ステップＳＴ１３の処理の後、あるいはステップＳＴ１４の処理の後、ステップＳＴ１５において、図９のフローチャートのステップＳＴ１０に進む。
【０１２５】
通常速再生中にユーザが早送りボタンＢＴfwあるいは巻き戻しボタンＢＴrwを操作した場合に図１０のフローチャートに示す割り込み処理Ａを行うことで、現在の再生対象の画像ファイルから直ちに早送り再生あるいは巻き戻し再生が行われるようになる。
【０１２６】
次に、早送り再生中あるいは巻き戻し再生中（図９のフローチャートで、ステップＳＴ６の動画像再生中、ステップＳＴ９の静止画像再生中）に、ユーザが連続再生開始ボタンＢＴcpsを操作した場合における制御部１０１の制御処理を説明する。この場合、制御部１０１は、図１１のフローチャートに示す割り込み処理Ｂを行う。
【０１２７】
制御部１０１は、ステップＳＴ２１において、割り込み処理Ｂを開始し、その後に、ステップＳＴ２２の処理に移る。このステップＳＴ２２において、制御部１０１は、再生対象の画像ファイルが動画ファイルであるか否かを判断する。
【０１２８】
再生対象の画像ファイルが動画ファイルであるとき、制御部１０１は、ステップＳＴ２３において、残存の動画像を通常速で再生する。この場合、ビデオエンコーダ１２１からは、通常速再生の動画像に対応したハイビジョン出力用信号およびパネル出力用信号が出力される。
【０１２９】
一方、再生対象の画像ファイルが静止画ファイルであるとき、制御部１０１は、ステップＳＴ２４において、静止画像を３秒間だけ再生する。この場合、ビデオエンコーダ１２１からは、静止画像に対応したハイビジョン出力用信号およびパネル出力用信号が３秒間だけ出力される。
【０１３０】
制御部１０１は、ステップＳＴ２３の処理の後、あるいはステップＳＴ２４の処理の後、ステップＳＴ２５において、図９のフローチャートのステップＳＴ１０に進む。
【０１３１】
早送り再生中あるいは巻き戻し再生中に、ユーザが連続再生開始ボタンＢＴcpsを操作した場合に図１１のフローチャートに示す割り込み処理Ｂを行うことで、現在の再生対象の画像ファイルから直ちに通常速再生が行われるようになる。
【０１３２】
なお、通常速再生中および早送り／巻き戻し再生中に（図９のフローチャートで、ステップＳＴ５，ＳＴ６の動画像再生中、ステップＳＴ８，ＳＴ９の静止画像再生中）に、ユーザがファイル送りボタンＢＴffあるいはファイル戻しボタンＢＴfrを操作した場合における制御部１０１の制御処理を説明する。
【０１３３】
ユーザがファイル送りボタンＢＴffを操作した場合、制御部１０１は、直ちにステップＳＴ２に戻り、次の画像ファイルの再生処理に移行する。この制御処理は、一枚再生モード時にユーザがファイル送りボタンＢＴffを操作した場合と同様である。
【０１３４】
一方、ユーザがファイル戻しボタンＢＴfrを操作した場合、制御部１０１は、一枚再生モード時にユーザがファイル戻しボタンＢＴfrを操作した場合とは異なった制御処理を行う。すなわち、一枚再生モード時にユーザがファイル戻しボタンＢＴfrを操作した場合、制御部１０１は、前の画像ファイルの再生処理に移行する。しかし、連続再生モード時にユーザがファイル戻しボタンＢＴfrを操作した場合、制御部１０１は、図１２のフローチャートに示す割り込み処理Ｃを行う。
【０１３５】
制御部１０１は、ステップＳＴ３１において、割り込み処理Ｃを開始し、その後に、ステップＳＴ３２の処理に移る。このステップＳＴ３２において、制御部１０１は、再生対象の画像ファイルが動画ファイルであるか否かを判断する。
【０１３６】
再生対象の画像ファイルが静止画ファイルであるとき、制御部１０１は、直ちにステップＳＴ３３に進み、図９のフローチャートのステップＳＴ２に戻り、前の画像ファイルの再生処理に移行する。一方、再生対象の画像ファイルが動画ファイルであるとき、ステップＳＴ３４の処理に移る。
【０１３７】
このステップＳＴ３４において、制御部１０１は、動画像の再生経過時間が０．５秒以上であるか否かを判断する。再生経過時間が０．５秒に満たないとき、制御部１０１は、直ちにステップＳＴ３３において、図９のフローチャートのステップＳＴ２に戻り、前の画像ファイルの再生処理に移行する。
【０１３８】
これに対して、再生経過時間が０．５秒以上であるとき、制御部１０１は、ステップＳＴ３５において、現在の再生対象ファイルの先頭から再生を行う。なお、この再生中にユーザがファイル戻しボタンＢＴfrを操作した場合にあっても、制御部１０１は、図１２のフローチャートに示す割り込み処理Ｃを行う。
【０１３９】
制御部１０１は、ステップＳＴ３５の処理の後、ステップＳＴ３６において、図９のフローチャートのステップＳＴ１０に進む。
【０１４０】
図１３は、図１に示すデジタルスチルカメラ１００の連続再生モード時における概略的な状態遷移図を示している。
【０１４１】
一枚再生モード時において、連続再生ボタンＢＴcpsが操作されることで、連続再生モードにおける通常速再生に移行する。この通常速再生中においては、ファイル送りボタンＢＴffが操作されることでファイル送りが行われ、ファイル戻しボタンＢＴfrが操作されることでファイル戻しが行われる。また、この通常速再生中において、連続再生停止ボタンＢＴcppが操作されることで、一枚再生モードに移行する。
【０１４２】
また、連続再生モードにおける通常速再生中に、早送りボタンＢＴfwが操作されることで早送り再生に移行し、巻き戻しボタンＢＴrwが操作されることで巻き戻し再生に移行する。また、早送り再生中あるいは巻き戻し再生中に、連続再生開始ボタンＢＴcpsが操作されることで通常速再生に移行する。また、この早送り／巻き戻し再生中においては、ファイル送りボタンＢＴffが操作されることでファイル送りが行われ、ファイル戻しボタンＢＴfrが操作されることでファイル戻しが行われる。
【０１４３】
図１４は、図１に示すデジタルスチルカメラ１００において、連続再生モード時の通常速再生中における概略的な状態遷移図を示している。
【０１４４】
ユーザの操作がない場合には、ファイル番号１の静止画像、ファイル番号２の動画像、ファイル番号３の静止画像というように、次の画像ファイルの再生状態に、自動的に遷移していく。静止画像あるいは動画像の再生中に、ファイル送りボタンＢＴffが操作されることで、次のファイルの再生状態に移行する。
【０１４５】
また、静止画像の再生中に、ファイル戻しボタンＢＴfrが操作されることで、前の画像ファイルの再生状態に移行する。また、動画像の再生中に、ファイル戻しボタンＢＴfrが操作された場合、再生経過時間が０．５秒以上であるときは、その動画像の先頭画像に戻って、その再生状態を継続する。
【０１４６】
一方、動画像の再生中に、ファイル戻しボタンＢＴfrが操作された場合、再生経過時間が０．５秒に満たないときは、前の画像ファイルの再生状態に移行する。これにより、動画像の再生中に、ファイル戻しボタンＢＴfrが連続して操作されることで、前の画像ファイルの再生状態に移行させることができる。
【０１４７】
以上説明したように、図１に示すデジタルスチルカメラ１００においては、連続再生（表示）モード時には、メモリカード１１６から画像ファイル（画像データ）を連続的に読み出し、動画ファイル（動画像データ）の場合には動画像データに係るハイビジョン出力用信号、パネル出力用信号を出力し、静止画ファイル（静止画像データ）の場合には静止画像データに係るハイビジョン出力用信号、パネル出力用信号を３秒間だけ出力する。
【０１４８】
したがって、連続再生モードとすることで、メモリカード１１６に記録されている画像ファイル（画像データ）の連続再生（表示）を良好に行うことができ、ユーザはプレビューの際に連続的な記録イメージが掴みやすくなる。この場合、ユーザは、複数の画像ファイル（画像データ）を一つのファイルに編集することなく、記録状況（撮像状況）を連続的に確認することができる。
【０１４９】
また、図１に示すデジタルスチルカメラ１００においては、一枚再生モード時にはＬＣＤパネル１２５の表示画面に連続再生開始ボタン（連像再生モードの開始ボタン）ＢＴcpsを含むＧＵＩ画面が表示され、また、連続再生モード時にはＬＣＤパネル１２５の表示画面に連続再生停止ボタン（連続再生モードの停止ボタン）ＢＴcppが表示される。したがって、連続再生の開始（一枚再生モードから連続再生モードへの移行）および停止（連続再生モードから一枚再生モードへの移行）の操作を、タッチパネル１２７を利用して表示画面上で容易に行うことができる。
【０１５０】
また、図１に示すデジタルスチルカメラ１００においては、一枚再生モードから連続再生モードへの移行の可否を予め設定メニューを用いて設定可能とされている（図４参照）。そして、一枚再生モードから連続再生モードへの移行が可能に設定される場合には、一枚再生モード時にＬＣＤパネル１２５の表示画面に連続再生開始ボタンＢＴcpsが表示される（図５（ａ），（ｂ）参照）。
【０１５１】
しかし、一枚再生モードから連続再生モードへの移行が不可能に設定される場合には、一枚再生モード時にＬＣＤパネル１２５の表示画面に連続再生開始ボタンＢＴcpsは表示されない（図３（ａ），（ｂ）参照）。すなわち、図１に示すデジタルスチルカメラ１００においては、連続再生開始ボタンＢＴcpsが不要である場合には、表示画面上からその表示を削除でき、ＧＵＩ画面に含まれる操作ボタンを実際にユーザが使用するものだけに整理できる。
【０１５２】
また、デジタルスチルカメラ１００においては、一枚再生モードから連続再生モードへの移行の可否を設定する際に表示パネル１２５に設定メニューが表示される。したがって、ユーザは、一枚再生モードから連続再生モードへの移行の可否を、タッチパネル１２７を利用して表示画面上で容易に行うことができる。
【０１５３】
また、図１に示すデジタルスチルカメラ１００においては、連続再生モード時に、動画像の再生中にはＬＣＤパネル１２５の表示画面上に動画像の再生時間および再生経過時間を示すプログレスバーＢＲａが表示されるが、静止画像の再生中にはＬＣＤパネル１２５の表示画面上にそのような表示はされない。したがって、動画像の再生中であるか静止画像の再生中であるかをユーザは容易に知ることができる。また、ユーザは、動画像の再生時間および再生経過時間を視覚的に容易に把握可能となる。
【０１５４】
また、図１に示すデジタルスチルカメラ１００においては、連続再生モード時に、ユーザは、早送りボタンＢＴfwおよび巻き戻しボタンＢＴrwを操作することで、メモリカード１１６に記録されている連続した複数の画像ファイルに渡って、早送り再生および巻き戻し再生を行うことができる。したがって、ユーザは、画像ファイルの検索あるいは確認を効果的に行うことが可能となる。
【０１５５】
また、図１に示すデジタルスチルカメラ１００においては、連続再生モード時で通常速再生中にはＬＣＤパネル１２５の表示画面に早送りボタンＢＴfwおよび巻き戻しボタンＢＴrwが表示され、また、連続再生モード時で早送り再生中あるいは巻き戻し再生中にはＬＣＤパネル１２５の表示画面に連続再生開始ボタンＢＴcpsが表示される。したがって、ユーザは、早送りあるいは巻き戻しの開始および停止の操作を、タッチパネル１２７を利用して表示画面上で容易に行うことができる。
【０１５６】
また、図１に示すデジタルスチルカメラ１００においては、連続再生モード時に、ユーザは、次の画像ファイルを再生するファイル送りおよび前の画像ファイルを再生するファイル戻しの操作を行うことができる。したがって、ユーザは、連続再生モード時に、ファイル送りの操作を行って再生ファイルを次の画像ファイルとし、あるいはファイル戻しの操作を行って再生ファイルを前の画像ファイルとでき、画像ファイルの検索あるいは確認を効果的に行うことが可能となる。
【０１５７】
また、図１に示すデジタルスチルカメラ１００においては、連続再生モード時で通常速再生中にはＬＣＤパネル１２５の表示画面にファイル送りボタンＢＴffおよびファイル戻しボタンＢＴfrが表示される。したがって、ユーザは、ファイル送りおよびファイル戻しの操作を、タッチパネル１２７を利用して表示画面上で容易に行うことができる。
【０１５８】
なお、上述実施の形態においては、早送り再生および巻き戻し再生の再生速度が通常速再生の６倍であるものを示した。しかし、この早送り再生および巻き戻し再生の再生速度をユーザが設定できるようにしてもよい。
【０１５９】
図１５は、デジタルスチルカメラ１００のＬＣＤパネル１２５に表示される設定メニューの一例を示している。ユーザは、例えば、タッチパネル１２７の「６倍速（標準）」、「１０倍速」、「３０倍速」の表示箇所を押圧操作することで、早送り再生および巻き戻し再生の再生速度を設定できる。図１５の表示例では、カーソルＣＡが「６倍速（標準）」の表示位置に対応した位置にあり、「６倍速（標準）」に設定されていることがわかる。
【０１６０】
上述したようにユーザが早送り再生および巻き戻し再生の再生速度の設定を可能とする場合、制御部１０１は、図９のフローチャートのステップＳＴ６の処理に代わって、図１６のフローチャートに示すサブルーチン処理を行う。
【０１６１】
すなわち、制御部１０１は、ステップＳＴ４１において、動画像の早送り／巻き戻し再生の処理を開始し、その後に、ステップＳＴ４２の処理に移る。このステップＳＴ４２において、制御部１０１は、「６倍速（標準）」に設定されているか否かを判断する。
【０１６２】
「６倍速（標準）」に設定されているとき、制御部１０１は、ステップＳＴ４３において、再生速度を６倍速として、動画像の早送り再生あるいは巻き戻し再生をする。この場合、ビデオエンコーダ１２１からは、動画像（６倍速の早送り再生あるいは巻き戻し再生）に対応したハイビジョン出力用信号およびパネル出力用信号が出力される。
【０１６３】
また、ステップＳＴ４２で「６倍速（標準）」に設定されていないとき、制御部１０１は、ステップＳＴ４４の処理に移る。このステップＳＴ４４において、制御部１０１は、「１０倍速」に設定されているか否かを判断する。
【０１６４】
「１０倍速」に設定されているとき、制御部１０１は、ステップＳＴ４５において、再生速度を１０倍速として、動画像の早送り再生あるいは巻き戻し再生をする。この場合、ビデオエンコーダ１２１からは、動画像（１０倍速の早送り再生あるいは巻き戻し再生）に対応したハイビジョン出力用信号およびパネル出力用信号が出力される。
【０１６５】
また、ステップＳＴ４４で「１０倍速」に設定されていないとき、制御部１０１は、ステップＳＴ４６の処理に移る。このステップＳＴ４６において、制御部１０１は、再生速度を３０倍速として、動画像の早送り再生あるいは巻き戻し再生をする。この場合、ビデオエンコーダ１２１からは、動画像（３０倍速の早送り再生あるいは巻き戻し再生）に対応したハイビジョン出力用信号およびパネル出力用信号が出力される。
【０１６６】
制御部１０１は、ステップＳＴ４３、ステップＳＴ４５あるいはステップＳＴ４６の処理の後、ステップＳＴ４７でリターンする。
【０１６７】
制御部１０１が図１６のフローチャートに示すサブルーチン処理を行うことで、動画ファイルの早送り再生時あるいは巻き戻し再生時には、ユーザにより設定された再生速度で早送り再生あるいは巻き戻し再生が行われる。
【０１６８】
また、上述したようにユーザが早送り再生および巻き戻し再生の再生速度の設定を可能とする場合、制御部１０１は、図９のフローチャートのステップＳＴ９の処理に代わって、図１７のフローチャートに示すサブルーチン処理を行う。
【０１６９】
すなわち、制御部１０１は、ステップＳＴ５１において、静止画像の早送り／巻き戻し再生の処理を開始し、その後に、ステップＳＴ５２の処理に移る。このステップＳＴ５２において、制御部１０１は、「６倍速（標準）」に設定されているか否かを判断する。
【０１７０】
「６倍速（標準）」に設定されているとき、制御部１０１は、ステップＳＴ５３において、静止画像を０．５秒間だけ再生する。この場合、ビデオエンコーダ１２１からは、静止画像に対応したハイビジョン出力用信号およびパネル出力用信号が０．５秒間だけ出力される。
【０１７１】
また、ステップＳＴ５２で「６倍速（標準）」に設定されていないとき、制御部１０１は、ステップＳＴ５４の処理に移る。このステップＳＴ５４において、制御部１０１は、「１０倍速」に設定されているか否かを判断する。
【０１７２】
「１０倍速」に設定されているとき、制御部１０１は、ステップＳＴ５５において、静止画像を０．３秒間だけ再生する。この場合、ビデオエンコーダ１２１からは、静止画像に対応したハイビジョン出力用信号およびパネル出力用信号が０．３秒間だけ出力される。
【０１７３】
また、ステップＳＴ５４で「１０倍速」に設定されていないとき、制御部１０１は、ステップＳＴ５６の処理に移る。このステップＳＴ５６において、制御部１０１は、静止画像を０．１秒間だけ再生する。この場合、ビデオエンコーダ１２１からは、静止画像に対応したハイビジョン出力用信号およびパネル出力用信号が０．１秒間だけ出力される。
【０１７４】
制御部１０１は、ステップＳＴ５３、ステップＳＴ５５あるいはステップＳＴ５６の処理の後、ステップＳＴ５７でリターンする。
【０１７５】
制御部１０１が図１７のフローチャートに示すサブルーチン処理を行うことで、静止画ファイルの早送り再生時あるいは巻き戻し再生時には、ユーザにより設定された再生速度に対応した時間だけ静止画像に対応したハイビジョン出力用信号およびパネル出力用信号が出力される。
【０１７６】
なお、上述ではユーザは早送り再生および巻き戻し再生の再生速度として「６倍速（標準）」、「１０倍速」または「３０倍速」のいずれかに設定可能であるが、設定される再生速度および種類数はこれらに限定されない。また、上述ではＬＣＤパネル１２５に表示される早送り／巻き戻し速度設定メニュー（図１５参照）を用いて、早送り再生および巻き戻し再生の再生速度を予め設定する場合について説明した。
【０１７７】
しかし、早送り再生中あるいは巻き戻し再生中に再生速度を変化させることも考えられる。その場合、例えば、早送り再生中あるいは巻き戻し再生中には、早送りボタンＢＴfwあるいは巻き戻しボタンＢＴrwを押す毎に、再生速度が、「６倍速（標準）」→「１０倍速」→「３０倍速」→「６倍速（標準）」→「１０倍速」→・・・のように、トグル的に変化するようにされてもよい。
【０１７８】
また、上述実施の形態においては、ＬＣＤパネル１２５に表示されたファイル送りボタンＢＴff、ファイル戻しボタンＢＴfr、早送りボタンＢＴfw、巻き戻しボタンＢＴrwに対応してタッチパネル１２７上を押圧操作するものを示したが、タッチパネル１２７上のユーザの指などがなぞった方向、速さ、距離等により、ファイル送り／ファイル戻し、早送り／巻き戻しの種類、速度を変化させる構成も考えられる。また、ユーザ操作部１０２等の外部キーにより早送り／巻き戻しを行うことも考えられ、その場合には、キーを押している時間により速度を変化させるようにしてもよい。
【０１７９】
また、上述実施の形態においては、動画像の再生時に、ＬＣＤパネル１２５に、動画像に重ねて、動画像の再生時間と再生経過時間を示すプログレスバーＢＲａが表示される。連続再生モード時には、ＬＣＤパネル１２５に、メモリカード１１６に記録されている連続再生対象の全画像ファイル（全画像データ）の再生時間（表示時間）と再生経過時間（表示経過時間）を含むＧＵＩ画面が表示されるようにしてもよい。
【０１８０】
図１８（ａ）は、連続再生モード時にあって、静止画像の通常速再生中におけるＬＣＤパネル１２５の表示例を示している。また、図１８（ｂ）は、連続再生モード時にあって、動画像の通常速再生中におけるＬＣＤパネル１２５の表示例を示している。これら図１８（ａ），（ｂ）において、図６（ａ），（ｂ）と対応する部分には同一符号を付し、その詳細説明は省略する。
【０１８１】
また、図１９（ａ）は、連続再生モード時にあって、静止画像の早送り再生中または巻き戻し再生中におけるＬＣＤパネル１２５の表示例を示している。また、図１９（ｂ）は、連続再生モード時にあって、動画像の早送り再生中または巻き戻し再生中におけるＬＣＤパネル１２５の表示例を示している。これら図１９（ａ），（ｂ）において、図７（ａ），（ｂ）と対応する部分には同一符号を付し、その詳細説明は省略する。
【０１８２】
図１８（ａ），（ｂ）、図１９(ａ)，（ｂ）に示すように、ＬＣＤパネル１２５には、メモリカード１１６に記録されている連続再生対象の全画像ファイルの再生時間と再生経過時間を示すプログレスバーＢＲｂが表示される。プログレスバーＢＲｂ上のカーソルは再生経過時間の変化に伴って移動していく。ここで、プログレスバーＢＲｂの本体は連続再生対象の全画像ファイルの再生時間を示し、カーソル位置は再生経過時間を示す。なお、図１８（ｂ）、図１９（ｂ）に示すように、動画像の再生時には、プログレスバーＢＲｂは、動画像の再生時間と再生経過時間を示すプログレスバーＢＲａと並べて表示される。
【０１８３】
なお、動画像の再生時間と再生経過時間、および連続再生対象の全画像ファイルの再生時間と再生経過時間は、上述したようにプログレスバーＢＲａ，ＢＲｂの表示により表すのではなく、数値を表示して表すようにしてもよい。
【０１８４】
また、上述したように連続再生対象の全画像ファイルの再生時間と再生経過時間をプログレスバーＢＲｂで表示する場合には、ユーザがプログレスバーＢＲｂの所定位置に対応したタッチパネル１２７上を押圧操作することで、当該所定位置に対応した再生位置にジャンプするように構成することもできる。
【０１８５】
このジャンプ操作に関しては、動画像の再生時間と再生経過時間を表示するプログレスバーＢＲａに関しても言える。つまり、ユーザがプログレスバーＢＲａの所定位置に対応したタッチパネル１２７上を押圧操作することで、当該所定位置に対応した再生位置にジャンプするように構成することもできる。
【０１８６】
また、上述したように連続再生対象の全画像ファイルの再生時間と再生経過時間をプログレスバーＢＲｂで表示する場合には、動画ファイルと静止画ファイルとが区別されて表示されるようにしてもよい。その場合、ユーザは、例えば、動画ファイルのみを選択して上述したジャンプ操作を行うことも可能となる。
【０１８７】
また、上述実施の形態においては、記録媒体から読み出される画像データ（動画像データ、静止画像データ）が圧縮符号化データであるものを示したが、非圧縮データであってもよい。その場合には、図１のデジタルスチルカメラ１００において、圧縮／伸長部１１４は不要となる。
【０１８８】
また、上述実施の形態においては、メモリカード１１６に記録されている全ての画像ファイルが連続再生対象の画像ファイルである例を示した（図２参照）。しかし、メモリカード１１６に記録されている画像ファイルのなかで連続再生対象の画像ファイルとする画像ファイルをユーザが任意に選択できるようにしてもよい。これにより、ユーザは、同じ日付、イベント、人物（顔、笑顔、大人、子供、男性、女性）等の属性によって関連付けられた画像ファイルのみを連続再生対象の画像ファイルとすることができる。
【０１８９】
また、上述した実施の形態においては、変速再生（変速表示）として早送り再生および巻き戻し再生の例を挙げたが、変速再生としては再生速度が通常速再生より遅くなるスロー再生あるいはコマ送り再生等も考えられる。このスロー再生あるいはコマ送り再生の場合、静止画像の再生にあっては、静止画像データの出力時間を通常速再生よりも長くすることが考えられる。
【０１９０】
また、図１に示すデジタルスチルカメラ１００をＨＤＭＩ−ＣＥＣ対応機器とし、このデジタルスチルカメラ１００を、ＨＤＭＩケーブルを介して、ＨＤＭＩ−ＣＥＣ対応機器であるテレビ受信機に接続することも考えられる。その場合、デジタルスチルカメラ１００の再生画像をテレビ受信機の表示パネルに表示しながら、例えば、当該テレビ受信機のリモコンにより、デジタルスチルカメラ１００の上述した種々の動作を操作することがかのとなる。
【０１９１】
また、上述実施の形態においては、この発明をデジタルスチルカメラ１００に適用したものを示したが、この発明は、種々の記録媒体に記録された画像データを表示する場合に適用できる。この場合、記録媒体は、メモリカード等の半導体メモリに限定されるものではなく、光ディスク等のディスク状記録媒体、あるいはＨＤＤ（Hard Disk Drive）であってもよい。
【産業上の利用可能性】
【０１９２】
この発明は、複数の画像データの連続表示を良好に行うことができ、ユーザは連続的な記録イメージを容易に掴むことができるものであり、例えば、静止画の記録再生の他に、動画の記録再生を可能とするデジタルスチルカメラ等に適用できる。
【図面の簡単な説明】
【０１９３】
【図１】この発明の実施の形態としてのデジタルスチルカメラの構成例を示すブロック図である。
【図２】メモリカードのフォルダ構成を説明するための図である。
【図３】静止画ファイルの再生時、動画ファイルの選択時、動画ファイルの再生時におけるＬＣＤパネルの表示例を示す図である。
【図４】一枚再生モードから連続再生モードへの移行の可否を設定するための、ＬＣＤパネルに表示される設定メニューの一例を示す図である。
【図５】一枚再生モードから連続再生モードへの移行が可能に設定されている場合の、一枚再生モードの再生時におけるＬＣＤパネルの表示例を示す図である。
【図６】連続再生モード時にあって、静止画像および動画像の通常速再生中におけるＬＣＤパネルの表示例を示す図である。
【図７】連続再生モード時にあって、早送り再生または巻き戻し再生中におけるＬＣＤパネルの表示例を示す図である。
【図８】連続再生モード時にあって、連続再生終了時におけるＬＣＤパネルの表示例を示す図である。
【図９】連続再生モード時における制御部の制御処理の手順を示すフローチャートである。
【図１０】通常速再生中に、ユーザが早送りボタンあるいは巻き戻しボタンを操作した場合に制御部が行う割り込み処理Ａを示すフローチャートである。
【図１１】早送り再生中あるいは巻き戻し再生中に、ユーザが連続再生開始ボタンを操作した場合に制御部が行う割り込み処理Ｂを示すフローチャートである。
【図１２】連続再生モード時において、通常速再生中にユーザがファイル戻しボタンを操作した場合に制御部が行う割り込み処理Ｃを示すフローチャートである。
【図１３】デジタルスチルカメラの連続再生モード時における概略的な状態遷移図である。
【図１４】デジタルスチルカメラの連続再生モード時の通常速再生中における概略的な状態遷移図である。
【図１５】早送り／巻き戻し速度を設定するための、ＬＣＤパネルに表示される設定メニューの一例を示す図である。
【図１６】ユーザが早送り／巻き戻し速度の設定を可能とする場合に、制御部が行う動画像の早送り／巻き戻し再生の処理を示すフローチャートである。
【図１７】ユーザが早送り／巻き戻し速度の設定を可能とする場合に、制御部が行う静止画像の早送り／巻き戻し再生の処理を示すフローチャートである。
【図１８】連続再生モード時にあって、静止画像の通常速再生中におけるＬＣＤパネルの他の表示例を示す図である。
【図１９】連続再生モード時にあって、静止画像の早送り再生中または巻き戻し再生中におけるＬＣＤパネルの表示例を示す図である。
【符号の説明】
【０１９４】
１００・・・デジタルスチルカメラ、１０１・・・制御部、１０２・・・ユーザ操作部、１０３・・・ＣＰＵ、１０４・・・フラッシュＲＯＭ、１０５・・・ＳＤＲＡＭ、１１１・・・イメージャ、１１２・・・撮像処理部、１１３・・・メモリ部、１１４・・・圧縮／伸長部、１１５・・・記録／再生部、１１６・・・メモリカード、１２１・・・ビデオエンコーダ、１２２・・・ビデオ出力端子、１２３・・・重畳部、１２４・・・ＬＣＤドライバ、１２５・・・ＬＣＤパネル、１２６・・・ＯＳＤ部、１２７・・・タッチパネル、１２８・・・座標検出部
【図１】
0004513894.tif 000002
【図２】
0004513894.tif 000003
【図３】
0004513894.tif 000004
【図４】
0004513894.tif 000005
【図５】
0004513894.tif 000006
【図６】
0004513894.tif 000007
【図７】
0004513894.tif 000008
【図８】
0004513894.tif 000009
【図９】
0004513894.tif 000010
【図１０】
0004513894.tif 000011
【図１１】
0004513894.tif 000012
【図１２】
0004513894.tif 000013
【図１３】
0004513894.tif 000014
【図１４】
0004513894.tif 000015
【図１５】
0004513894.tif 000016
【図１６】
0004513894.tif 000017
【図１７】
0004513894.tif 000018
【図１８】
0004513894.tif 000019
【図１９】
0004513894.tif 000020